Podtech/llm-jp-corpus-v4-ja_patent huggingface dataset:
(57)【要約】【課題】使用後のコンドーム内にある精液の衛生面での問題をコンドームの形状にて解決することを課題とする。【解決手段】コンドームの筒の精子が溜まると思われる部分より入口に近い位置に精液Ｄの外部流出を防ぐためのチャックＡを形成する。またジェル体や精液等液体の付着にチャックを閉じるという使用方法が不便をきたすということが少ない。これにより、コンドームに精液を密封したまま、くるむティッシュなどの無駄な資源を使うことなく廃棄することができる。【選択図】図１
2015130984.tif 000002
【特許請求の範囲】
【請求項１】
チャックをつけ、精液を外に出さないことによる衛生面、処理の利便性を向上させたコンドーム
【発明の詳細な説明】
【技術分野】
【０００１】
本発明は、射精をした後の精液の処理を容易かつ清潔にするコンドームの形状に関する。
【背景技術】
【０００２】
従来、ゴム等の弾性体で作られた男性の性病予防用・避妊用のサックとしてコンドームは公知となっている。通常、コンドームは、射精後にそのまま廃棄されたり、ティッシュ等にくるまれて廃棄されることにより、体液が漏れ出てしまい、匂いがすることがよくある。
また、それを防ぐために、コンドームを縛って捨てる際も体液等により滑ってしまいわずらわしいことがある。
【０００３】
現状、射精液漏れやそれを原因とする臭いに対して、コンドームそれ自体に物理的な対策はされていない。
【先行技術文献】
【特許文献】
【０００４】
【特許文献１】特開２００１−２３１８０５号公報
【発明の概要】
【発明が解決しようとする課題】
【０００５】
従来のコンドームにおいて、使用後の処理について考えられているものはなかった。ホテルや住居などの密室で使われることが多く、使用後も現場のゴミ箱等から精液の不快な臭いがしていた。また、ゴミとして処理されるまでの間に空気に触れることにより、衛生面でも問題があった。
漏れを防ぐために縛って捨てるケースもあったが、表裏の体液が付着することにより滑るため、それを難しくしていた。
そこで、上記問題を解決すべく、コンドームとしての機能を維持したまま、衛生的かつ容易に廃棄可能なゴムを提供する。
【課題を解決するための手段】
【０００６】
本発明の解決しようとする課題は以上の如くであり、次にこの課題を解決するための手段を説明する。
【発明の効果】
【０００７】
本発明のコンドームは、チャックを付けることにより、コンドーム内に射精後の精液を密封し、衛生的かつ容易かつ低廉にゴムを廃棄可能とするものである。
【図面の簡単な説明】
【０００８】
【図１】本発明の一実施形態に係るコンドームの外観図
【発明を実施するための形態】
【０００９】
以下、本発明の望ましい実施の形態を添付した図面に従って説明する。
【実施例】
【００１０】
コンドームの筒の精子が溜まると思われる部分より入口に近い位置に精液Ｄの外部流出を防ぐためのチャックＡを形成する。製造時の巻き取りや出荷時の大きさもほぼ変わりない形状で製造することができる。また、ジェル体や精液等液体の付着に使用が左右されることが少ない。
【符号の説明】
【００１１】
本発明のチャック部分：Ａ
コンドームの筒の巻き取り（入口）部分：Ｂ
液溜り部分：Ｃ
精液：Ｄ
【図１】
2015130984.tif 000003
(57)【要約】      （修正有）【課題】トングに外の汚れが付着しない、手が内容物で汚れない、トング付き容器を提供する。【解決手段】変形が可能な蓋１の内側に、回転軸があるトング３を収納し、蓋を変形させることにより、蓋についたままトングを使用できるようにした、トング付き容器。【選択図】図１
2015130985.tif 000002
【特許請求の範囲】
【請求項１】
変形が可能な蓋の内側に、回転軸があるトングを収納し、蓋を変形させることにより、蓋についたままトングを使用できるようにした、トング付き容器。
【請求項２】
前記トング付き容器の一対のトングを、片方のみのスプーンとし、蓋を変形させることにより、蓋についたままスプーンを使用できるようにした、スプーン付き容器。
【請求項３】
前記トング付き容器の一対のトングを、片方のみのフォークとし、蓋を変形させることにより、蓋についたままフォークを使用できるようにした、フォーク付き容器。
【発明の詳細な説明】
【技術分野】
【０００１】
本発明は、変形が可能な蓋の内側にトングを付け、蓋を変形させることにより、そのままトングを使用できるようにした、トング付き容器に関するものである。
【背景技術】
【０００２】
従来、容器の外側にトングを装着することができる容器があった。
【発明の概要】
【発明が解決しようとする課題】
【０００３】
次のような問題点があった。
（イ）容器の外側にトングを装着する場合、トングに外側の汚れが付着するという問題があった。
（ロ）容器の内側にトングを入れる場合、トングに内容物がついてしまい、手が汚れるという問題があった。
本発明は、以上の問題点を解決するためになされたものである。
【課題を解決するための手段】
【０００４】
変形が可能な蓋の内側に、回転軸があるトングを収納し、蓋を変形させることにより、蓋についたままトングを使用できるようにした。
【発明の効果】
【０００５】
トングが内側に収納されているので、トングに外側の汚れがつかない。また、蓋の外側からつまむので、手が内容物で汚れない。
【図面の簡単な説明】
【０００６】
【図１】本発明の断面図である。
【図２】本発明の、蓋（１）の両端をつまみ、トング（３）が蓋（１）から離れた状態を示した断面図である。
【図３】本発明の、蓋（１）の両端を、図２の状態よりもさらにつまみ、トング（３）で物を挟む状態を示した断面図である。
【図４】本発明の斜視図である。
【発明を実施するための形態】
【０００７】
以下、本発明の実施の形態について説明する。
（イ）弾性体の蓋（１）の内側にトング（３）が、トング取り付け軸（３ｂ）を介して取り付けられている。
トング（３）はトングの軸（３ａ）を中心に回転し、物を挟むことができる。
本発明を使用するときは、蓋（１）を容器（２）から外し、蓋（１）の両端をつまみ、蓋（１）を変形させると、トング取り付け軸（３ｂ）およびトングの軸（３ａ）を中心にが徐々に回転し、トング（３）が蓋（１）より離れる。そのままさらに強くつまむことにより、トング（３）により物を挟むことができる。使い終わったら、つまんだ力を弱めれば蓋（１）が蓋（１）の弾力により元の形に戻り、同時にトング（１）も元の形に戻る。
【符号の説明】
【０００８】
１    蓋
２    容器
３    トング
３ａ  トングの軸
３ｂ  トング取り付け軸
【図１】
2015130985.tif 000003
【図２】
2015130985.tif 000004
【図３】
2015130985.tif 000005
【図４】
2015130985.tif 000006
(57)【要約】【課題】ルアーと針を繋ぐ際に、スプリットリングを用いて繋ぐと、かなりの力と技術と時間を要するという難点を解消するために、両側開閉式スナップを提供する。【解決手段】スナップの針先２をルアーと釣り針にそれぞれ通し、針先２を角の部分３にそれぞれ引っ掛ける。【選択図】図２
2015130850.tif 000002
【特許請求の範囲】
【請求項１】
両側開閉可能なＳ字形状のスナップ
【発明の詳細な説明】
【技術分野】
【０００１】本発明は、スナップの両側を開閉できるようにしたものであり、従来のスナップとしての使い方はもちろん、ルアーと釣り針を繋ぐスプリットリングの代用、携帯にキーホルダーを付ける時などに使用できるようにしたものである。
【背景技術】
【０００２】従来は、両側が開閉可能なＳ字形状のスナップは無かった。
【発明の概要】
【発明が解決しようとする課題】
【０００３】ルアーと釣り針を繋ぐ際は、スプリットリングを用いて繋ぐ方法がとられていたが、この方法では、かなりの力と技術と時間を要するという難点があった。本発明は、この課題を解消するためになされたものである。
【課題を解決するための手段】
【０００４】スナップの両側を開閉可能にする事によって、ルアーと釣り針を繋ぐ事を可能にした。
【発明の効果】
【０００５】ルアーと釣り針を繋ぐ際、本発明をスプリットリングの代わりに使用する事によって、［０００３］で書いた難点を解決する事に成功した。
【図面の簡単な説明】
【０００６】
【図１】本発明の正面図である。
【図２】本発明の両側を開いた状態にした図である。
【発明を実施するための形態】
【０００７】以下、本発明の実施するための形態について説明する。
・スナップ本体１をＳ字型に曲げて、針先２を角の部分３に引っ掛ける。
引っ掛けた方向と反対方向に、針先から少し下あたりの部分４を押せば掛かりが外れるようにする。
【符号の説明】
【０００８】  １  スナップ本体
２  針先
３  角の部分
４  針先から少し下あたりの部分
【図１】
2015130850.tif 000003
【図２】
2015130850.tif 000004
(57)【要約】      （修正有）【課題】牡蠣幼生付着採取にプラスチック製人口芝の芝芽に牡蠣幼生付着採取させることにより牡蠣幼生が海流に流されずに付着効率を上げると共に付着後の人工芝を稚貝育成に利用する形態の牡蠣幼生付着採取器を提供する。【解決手段】牡蠣幼生付着採取器１にプラスチック製人工芝２枚を芝目の無い背面をあわせた間にプラスチック製網目１ｍｍから３ｍｍのネット３をサンドイッチ状に挟みこんで縦に装着し、ナイロン製人口芝の芝芽間に牡蠣幼生が付着足を絡め海流で流されることを防ぐことにより付着率を上げた牡蠣幼生付着採取器１。また、プラスチック製人工芝３のサンドイッチ状に挟みこんで装着した牡蠣幼生付着採取器１の装着をはずし、牡蠣幼生を付着させたプラスチック製人工芝３を牡蠣稚貝育成する籠の中に人工芝の芝面を海面側に向けて、牡蠣稚貝育成ができる牡蠣幼生付着採取器１。【選択図】図４
2015130851.tif 000002
【特許請求の範囲】
【請求項１】
海中に浮揚する牡蠣幼生付着採取器装置を網目籠の中に、プラスチック製人工芝２枚を芝目の無い背面を合わせた間にプラスチック製網目１ｍｍから３ｍｍのネットをサンドイッチ状に挟みこんで装着し、プランクトン牡蠣幼生の採取器を網目籠の中に縦に装着したことを特徴とした牡蠣幼生付着採取器。
【請求項２】
また、牡蠣幼生を付着させたプラスチック製人工芝のサンドイッチ状に挟みこんで装着した牡蠣幼生付着採取器の装着をはずし、牡蠣幼生を定着させたプラスチック製人工芝を牡蠣稚貝育成する籠の中に人工芝面を海面側に向けて、牡蠣稚貝育成が出来る事を特徴とした請求項１記載の牡蠣幼生付着採取器。
【発明の詳細な説明】
【技術分野】
【０００１】  海中に浮遊する牡蠣幼生を付着採取器及び稚貝育成に関するものである。
【背景技術】
【０００２】  海中に浮遊する牡蠣幼生を付着器に貝殻粉末と樹脂を使用したものが在るが、牡蠣幼生を付着器から牡蠣幼生を剥ぎ取り稚貝育成器に移していた。【０００３】  また、牡蠣付着採取器を稚貝育成に併用使用するものが無かった。【０００４】
【実用新案文献】
登録実用新案公報  第３１８２９５１号
【発明が解決しようとする課題】
【０００５】  牡蠣幼生付着採取に牡蠣幼生が海流により流され付着率が低かった課題を解決しようするものである。
【０００６】  また、牡蠣付着採取器を稚貝育成に併用使用するものが無かった課題を解決するものである。
【発明が解決するための手段】
【０００７】  本発明の目的を達成するために、牡蠣幼生付着採取器にプラスチック製人工芝２枚を芝目の無い背面を合わせた間にプラスチック製網目１ｍｍから３ｍｍのネットをサンドイッチ状に挟みこんで縦に装着し、ナイロン製人口芝の芝芽間に牡蠣幼生が付着足を絡め海流で流されること防ぎ付着率を上げて課題を解決するものである。
【０００８】  また、牡蠣幼生を付着させたプラスチック製人工芝のサンドイッチ状に挟みこんで装着した牡蠣幼生付着採取器の装着をはずし、牡蠣幼生を付着させたプラスチック製人工芝を牡蠣稚貝育成する籠の中に人工芝の芝面を海面側に向けて、牡蠣稚貝育成の課題を解決するものである。
【発明の効果】
【０００９】  本発明の効果については、実際に海の中に試作実験器を海底と海底より１５センチ上げて半年間実験したところ牡蠣幼生が人口芝の全芝目間に付着し海流で流されない効果で付着した結果である。
【００１０】  また、海底環境によるが海底が砂地の場合は海底に設置し泥の場合は海底より１５センチほど上げる事により海流で砂や泥を巻き上げてフジツボが付着しない効果がある。
【発明を実施する為の最良の形態】
【００１１】  以下、本発明の実施形態を図１から図４に基づいて説明をする。
【００１２】  図１においては、上から見た平面の牡蠣幼生付着採取器で網目籠１・２にプラスチック製人工芝２枚を芝目の無い背面を合わせた間にプラスチック製網目１ｍｍから３ｍｍのネットをサンドイッチ状に挟みこんで縦に装着した３の形態図である。
【００１３】  図２においては、横から見た側面の形態図である。
【００１４】  図３においては、プラスチック製人工芝２枚を芝目の無い背面を合わせた間にプラスチック製網目１ｍｍから３ｍｍのネットをサンドイッチ状に挟みこんで縦に装着した３の詳細図でプラスチック製人工芝２枚３−ａ・３−ｃの間に挟みこんだプラスチック製網目１ｍｍから３ｍｍのネット３−ｂの形態とプラスチック製人工芝芽の間に牡蠣幼生４の付着した形態図である。
【００１５】  図４においては、斜めから見た牡蠣幼生付着採取器の３次元形態図である。
【図面の簡単な説明】
【００１６】
【図１】牡蠣幼生付着採取器の平面図
【図２】牡蠣幼生付着採取器の側面図
【図３】牡蠣幼生付着採取器のプラスチック人工芝を背面同士と間に挟みこんだプラスチック製網目１ｍｍから３ｍｍのネットの詳細図と拡大図
【図４】斜めから見た牡蠣幼生付着採取器の斜めから見た３次元図
【符号の説明】
【００１７】１  牡蠣幼生付着採取器
２  牡蠣幼生付着採取器の網目籠
３  牡蠣幼生付着採取器のプラスチック人工芝を背面同士と間に挟みこんだプラスチック製網目１ｍｍから３ｍｍのネット
３−ａプラスチック人工芝
３−ｂプラスチック製網目
３−ｃプラスチック人工芝
４  プラスチック人工芝芽に付着した牡蠣幼生
【図１】
2015130851.tif 000003
【図２】
2015130851.tif 000004
【図３】
2015130851.tif 000005
【図４】
2015130851.tif 000006
(57)【要約】【課題】本発明は、通水性を良好に維持して、成長しても分散作業に悪影響を及ぼさない養殖篭を提供する。【解決手段】本発明の養殖篭は、下部を有する養殖篭において、下部の網目より下部以外の網目を大きくしたものであり、下部１に網目の細かい網地を使用し、下部以外２に網目の大きい網地を使用する。下部１を細かい目にすることで貝が小さくても分散が可能で、下部以外２を大きい目にすることで付着物を少なくしプランクトンの流入を増やし生長を促進できる効果がある。【選択図】図１
2015130826.tif 000002
【特許請求の範囲】
【請求項１】
下部を有する養殖篭において、下部の網目より下部以外の網目を大きくしたことを特徴とする養殖篭。
【請求項２】
前記下部は貝に当たる面を網地の表にして貝への負担を軽減し、前記下部以外は外側を網地の表にして付着物を少なくすることを特徴とする請求項１記載の養殖篭。
【発明の詳細な説明】
【技術分野】
【０００１】
本発明は、ホタテなどの貝類等を育成する養殖篭に関する。
【背景技術】
【０００２】
近年、異常気象が続いており、冬は大雪、春も気温の低い日が多く、また川からの冷たい雪解け水が流入するため海水温が上がらず貝の成長遅れを招いている。成長の遅れは養殖篭への分散作業遅れを余儀なくされる。
寒い春から夏は急激に暑くなり海水温も伴って上昇する。春の分散作業が夏にヅレ込むことで温度、海水温ともに暑くなってからの分散作業により貝の斃死を誘発してしまう。この悪循環を断ち切るためには例年通りの時期に分散作業を終える必要がある。
通常、貝が小さいときには目合いの小さい養殖篭に分散するが、目合いが小さい分付着物が多くなり、結果養殖篭内部へのプランクトンの流入が減り貝の成長が遅れる。付着物が付着する前に他の養殖篭へ移し変えるという方法もあるが、その分多くの篭が必要であり、また手間が多くなるため費用が嵩む。
【０００３】
公知技術文献として、海中に埋在性二枚貝を垂下養殖するに際して、養殖基質と二枚貝が不用意に分離してしまうことがなく、しかも通水性を良好に維持して埋在性二枚貝の成長や生残に悪影響が生じることがない埋在性二枚貝の養殖方法が知られている（特許文献１を参照）。
この公知技術は、埋在性二枚貝と、粒状の養殖基質とをそれらが流出しない目合いを有し且つ可撓性を有する網袋に収容し、網袋を網袋が流出しない目合いを有する飼育容器に収容し、飼育容器を海中に垂下する埋在性二枚貝の養殖方法である。
【先行技術文献】
【特許文献】
【０００４】
【特許文献１】特開２０１２−１５７２９４号公報
【発明の概要】
【発明が解決しようとする課題】
【０００５】
本発明は、通水性を良好に維持して、成長しても分散作業に悪影響を及ぼさない養殖篭を提供することを目的とする。
【課題を解決するための手段】
【０００６】
本発明の養殖篭は、下部を有する養殖篭において、下部の網目より下部以外の網目を大きくしたものである。
前記下部は貝に当たる面を網地の表にして貝への負担を軽減し、前記下部以外は外側を網地の表にして付着物を少なくする。
【発明の効果】
【０００７】
本発明の養殖篭は、下部を細かい目にすることで貝が小さくても分散が可能で、下部以外を大きい目にすることで付着物を少なくしプランクトンの流入を増やし生長を促進できる効果がある。
下部、下部以外が別々の網地のため、下部、下部以外の目合いの組み合わせが自由にでき、各海域、養殖業者の要望に合わせられる。
下部を細かい目で、下部以外を大きい目にすることで２種類の篭を買わなくても済むためコストを抑制できる。
網地に裏（ザラザラ）、表（ツルツル）があるが下部は貝に当たる面を表にして貝への負担を軽減し、下部以外は外側を表にして付着物を少なくすることができる。
【図面の簡単な説明】
【０００８】
【図１】本発明の養殖篭の一部破断斜視図である。
【発明を実施するための形態】
【０００９】
本発明の養殖篭の一実施例を添付図面に基づいて、以下に説明する。
本発明の養殖篭は、下部を有する養殖篭において、下部の網目より下部以外の網目を大きくしたものである。
図１の一部破断斜視図に示すように、下部１に網目の細かい網地を使用し、下部以外２に網目の大きい網地を使用する。
下部１と下部以外２、下部以外２同士をそれぞれ接合して養殖篭を形成する。その際、網地に裏（ザラザラ）、表（ツルツル）があるが、下部１は貝に当たる面を表にして貝への負担を軽減し、下部以外２は外側を表にして付着物を少なくする。
【００１０】
このように、下部１の網目を小さくし、下部１の網目より下部以外２の網目を大きくしたため、貝が小さくても例年通りの時期に斃死対策の分散作業ができるし、その後目合いが大きい養殖篭に入れ替え作業をしなくても下部以外の網目が大きいため貝が成長できる。
下部以外２の網目を大きくし付着物が付かないようにするため通水性を良好に維持して、プランクトンの流入を増やし貝の生長を促進できるので、養殖業者は何種類のもの目合いの養殖篭を購入する必要がない。
また、網地に裏（ザラザラ）、表（ツルツル）があるが、下部１は貝に当たる面を網地の表にして貝への負担を軽減し、下部以外２の外側を網地の表にして付着物を少なくすることができる。
【符号の説明】
【００１１】
１  下部
２  下部以外
【図１】
2015130826.tif 000003
(57)【要約】      （修正有）【課題】当日の事件や話題や風習や流行が極めて簡単に自然に残せる日記帳を提供する。【解決手段】毎日の新聞の日付欄の下に空白紙面を作り個人の事件日記帳として使用し、その下部に毎日の世間の重要ニュースや事件記事や面白い話題をまとめて編集し上記部分の裏面を商業広告欄とする。【選択図】図１
2015168258.tif 000002
【特許請求の範囲】
【請求項１】
新聞や週刊誌等定期刊行物の紙面の発行日付の下部に少しの空白を設ける事を特徴とし色々の記事を追設出来る場所とし個人の各種事件の日記帳とする事で個人の歴史と時代の歴史の流れを同居させ同時に広告収入を得る為に特に上記裏面に充分な広告場所を提供する事を特徴とした編集方法。
【発明の詳細な説明】
【技術の分野】
本発明は個人歴史帳や日記帳の改良に係わるものである。
【背景の技術】
個人の日記帳は従来個人の来歴を記すものが多いが当日の事件や出来事を記念帳として残したい事も多い。しかし個人の日記帳に当日の事件や出来事を書き込む事は非常に面倒であるし労力を要したので省略する事が多かった。
【発明の開示】
従来個人の事件を日記に記する事は比較的に簡単であったが当日の事件や出来事や新聞記事を記す事は非常に面倒で個人の日記帳に書く事は少なかった
当発明は当日の事件や出来事や時代の流れを極く自然に自動的に成せるようにしたものである。
【発明が解決しようとする課題】
当発明は個人の日記帳を完成するに当たり極く自然に当日の事件や話題や風習や流行が極めて簡単に自然的に日記の中に残せる事である。
楽しい個人の日記帳が極めて簡単に何の苦労もなく完成させる事である。
後日見て非常に楽しい個人の日記帳を完成させる事である。
【課題を解決しようとする手段】
当発明の方法は毎日の新聞記事の中に自分日記を書き込む場所を作る事で解決した。
毎日の新聞記事の編集を一部変更する事で非常に簡単に解決できる。
【発明の効果】
当発明は個人の日記帳が時代暦の流れと自分暦の流れが同居して非常に楽しい個人日記帳となる。
【発明を実施する為の最良の形態】
毎日の新聞の日付欄の下に空白紙面を作り個人の事件日記帳として使用しその下部に毎日の世間の重要ニュースや事件記事や面白い話題をまとめて編集し上記部分の裏面を商業広告欄とし費用を捻出する。
各紙面の記事の大きさは適当に選択す。
【実施例】  当発明の一実施例を通常の新聞に活用した態様を第一図に図示し説明してある。
週刊誌についての実施例は省略した。
【産業上の利用の可能性】
毎日の新聞を有効に活用できる。
【図面の簡単な説明】
【図１】  図面は当発明の新聞紙面の態様の一部を示す。符号（１）は新聞の日付を記したところ符号（２）は個人の各種記事を記す日記帳と成る紙面を示す。符号（３）は毎日の世間の重要ニュースや事件記事や面白い話題等をまとめて編集したところ符号（２）（３）の裏面に商業広告等を集めて編集する。日記帳とする為の必要な部分を切り取り安くする点線や線を設けると良いが必要ではない。
【図面の符号の説明】
第一図は日付を記した新聞紙面の一部を示す。符号（１）は新聞紙の日付を示す、符号（２）は個人の日記を書く所、符号（３）は今日の代表的なニュースや事件や話題を集めた所、符号（２）（３）の裏面は商業広告の欄とする。点線は新聞紙を切り取り安くする為のもので必要ではない。
【図１】
2015168258.tif 000003
(57)【要約】【課題】新聞古紙をでんぷんのりで張り合わせた湿性厚紙とその厚紙を使ったごみ箱の製造方法を提供すること【解決手段】朝刊１部分の量の新聞古紙をでんぷんのりではり合わせて厚紙を作る。その厚紙を横に二つに折り、どちらか片方の端からごみ箱の底の部分を円形に切り抜く。残った部分を長方形に断裁し、円筒形になるように両端をでんぷんのりで接着し、ごみ箱の胴部分にする。底のフチを直角に折り、折り曲げた部分にでんぷんのりをぬる。胴の上下を新聞紙に印刷されている図柄で決める。胴を逆さに立て上部の内側に底をはめ込みながら、せんたくばさみで固定する。２〜３日間乾燥させ、乾いてから紙ひもの持ち手をつける。使用済みのごみ箱は再生利用できる。【選択図】図１
2015168073.tif 000002
【特許請求の範囲】
【請求項１】
新聞古紙をでんぷんのりではり合せた湿性厚紙と製造方法
【請求項２】
新聞古紙湿性厚紙を使って作ったごみ箱と製造方法
【発明の詳細な説明】
【技術分野】
【０００１】
本発明は、新聞古紙をはり合せて厚紙を作る技術とその厚紙を使ってごみ箱を作る技術である。
【背景技術】
【０００２】
従来の新聞古紙の活用方法には、新聞紙を接着乾燥させた合板がある（例えば、特許文献１参照）。
【先行技術文献】
【特許文献】
【０００３】
【特許文献１】特許公開平１０−３１５２０９号  広報
【発明の概要】
【発明が解決しようとする課題】
【０００４】
従来の新聞古紙の再使用方法は、接着剤ではり合わせて乾燥させた合板を使うが、円筒のような滑らかな曲面の加工に適していない。
【課題を解決するための手段】
【０００５】
新聞古紙朝刊１部分をでんぷんのりですべて張り合わせ、湿った新聞古紙厚紙の状態で保存する。湿っている新聞古紙の厚紙をごみ箱に加工して乾燥させる。湿っている新聞古紙の厚紙を加工することで課題を解決する。
【発明の効果】
【０００６】
新聞古紙という紙資源の有効活用したごみ箱作りを通し、循環型社会形成推進基本法で定められた５Ｒのうち、再使用（リユース）を実現できる。ごみを資源ごとに分別するときの資源ごみ箱として使用できる。使用済みのごみ箱は再生利用（リサイクル）できる。
【図面の簡単な説明】
【０００７】
【図１】湿性新聞古紙厚紙の作り方とその厚紙を使ったごみ箱作りの手順
【発明を実施するための形態】
【０００８】
新聞古紙再使用厚紙とごみ箱の作り方を説明する。１．新聞古紙（朝刊１部、32〜40頁）を用意する。２．新聞紙を真ん中から広げ片側の一番下の新聞（４０頁の場合２頁）からハケでのりをぬってはり合わせる。３．半分（同２０頁まで）はり終えたら、もう片側（同３９頁から）もはり合わせる。ここまでで厚紙は完成。４．横に２つに折り、はり合わせる。５．直径２１センチの円形の型紙を左右どちらかに置き、型紙のフチをペンでなぞり底を切り抜く。６．切り抜いた底のフチを１センチ直角に折り曲げる。７．胴を円筒形に曲げ両端をのりではり合わせる。底のフチにのりをぬり、胴と底をはり合わせ、せんたくばさみで止める。８．２〜３日間乾燥させて紙ひもの持ち手をつけて完成する。
【図１】
2015168073.tif 000003
(57)【要約】【課題】より少ない木製骨組材で、容易に組み立てが可能となる工法を提供する。【解決手段】  複数の木製トラス材に取付けた接続金具を介してＴ字型に接続したＴ字木製トラス材を構造部材とし、前記Ｔ字木製トラス材を交互に方向を違えて、接続した複数の前記Ｔ字木製トラス材で枡目が形成されるように前記接続金具で接続を行いながら、任意の大きさまで繰り返し接続を行い、形成された複数の前記枡目の対角線状且つ隣接する前記枡目とは交互に方向を違えて水平ブレースを取付けるＴ字工法を手段とする。【選択図】図４
2015168922.tif 000002
【特許請求の範囲】
【請求項１】
複数の木製トラス材に取付けた接続金具を介してＴ字型に接続したＴ字木製トラス材を構造部材とし、前記Ｔ字木製トラス材を交互に方向を違えて、接続した複数の前記Ｔ字木製トラス材で枡目が形成されるように前記接続金具で接続を行いながら、任意の大きさまで繰り返し接続を行い、形成された複数の前記枡目の対角線状且つ隣接する前記枡目とは交互に方向を違えて水平ブレースを取付けることを特徴とするＴ字工法。
【発明の詳細な説明】
【技術分野】
【０００１】
本発明は、木製トラス材の接合方法に関するもので、構造の効率化を図り、少ない木製トラス材で構成され且つ容易に組立てが可能な工法に関するものである。
【背景技術】
【０００２】
三角形を基本単位とした集合体で構成する木造トラス構造が広く知られており、対荷重に優れた構造であるが、使用する木製トラス材が多くなるため、加工に時間が掛かり、また、加工時にでる廃材も多くなってしまうなどトータルコストが高くなる問題がある。
【先行技術文献】
【特許文献】
【０００３】
【特許文献１】特開2000-96758
【発明の概要】
【発明が解決しようとする課題】
【０００４】
少ない木製トラス材で構成され、容易に組立てが可能となる工法を提供することを課題とする。
【０００５】
従来の木造トラス構造は、三角形を基本にして組むため、使用する木製トラス材が多くなり、加工時の廃材が多く出てしまい、廃材処理にコストが多く掛かる。
【０００６】
継手と呼ばれる伝統的な工法では、熟練した技術が必要であり、木材の複雑な加工に時間と手間がかかり、また、作業者の技術によって仕上がりの善し悪しが左右されてしまうなどの問題がある。
【課題を解決するための手段】
【０００７】
複数の木製トラス材に取付けた接続金具を介してＴ字型に接続したＴ字木製トラス材を構造部材とし、複数の前記Ｔ字木製トラス材を交互に方向を違えて、接続した前記Ｔ字木製トラス材で枡目が形成されるように前記接続金具で接続を行いながら、任意の大きさまで繰り返し接続を行い、形成された複数の前記枡目の対角線状且つ隣接する前記枡目とは交互に方向を違えて水平ブレースを取付けるＴ字工法を手段とする。
【発明の効果】
【０００８】
加工に際して熟練した技術が必要ないため、加工の時間短縮に繋がる。
【０００９】
木造トラス構造よりも木製トラス材の使用本数を削減でき、加工時に出る廃材も少なくなる。
【００１０】
組立てが容易に行えるため、工期の短縮に繋がり、トータルコストの削減に繋がる。
【００１１】
火打ち材を水平ブレースで構成するため、重量を軽減できる。
【図面の簡単な説明】
【００１２】
【図１】木製トラス材概略図
【図２】Ｔ字木製トラス材の構成例
【図３】Ｔ字木製トラス材の接合例（図で示す斜線は、個々のＴ字木製トラス材を区別するためのものである。）
【図４】水平ブレース取付け概略図（図で示す斜線は、木製トラス材で補った一例を判別するためのものである。）
【発明を実施するための形態】
【００１３】
複数の木製トラス材１の両端に接続金具２を取付け、前記接続金具２を介しＴ字になるように接合し、Ｔ字型を特徴とするＴ字木製トラス材３が構成される。前記Ｔ字木製トラス材を構成部材として、接合を行う。
【００１４】
前記Ｔ字トラス材３は、図２に示すように、前記木製トラス材１の組合せによる型が、Ｔ字型であればよい。
【００１５】
前記木製トラス材１は、通常四角柱であるが、円柱、六角柱等の他の形状であってもよい。
【００１６】
前記接続金具２は、既知の接続金具又は既知の接合技術で接合してもよい。
【００１７】
図３に示すように前記Ｔ字木製トラス３の向きを変更しながら、枡目４を形成するように前記接合金具２で接続していき、任意の大きさまで組んでいく。
【００１８】
最終端などＴ字型では収まらない場合や不足する場合は、この構造を枡目にするために前記木製トラス材１をＬ字型又は＋字型に形成した部材又は前記木製トラス材１を前記接続金具２で接続する事で補う。
【００１９】
任意の大きさまで接続を行った前記Ｔ字木製トラス材３の前記枡目４毎の対角線状且つ隣接する前記枡目４と交互に方向を違えて水平ブレース５を取付けて強度を保つ。
【符号の説明】
【００２０】
１    木製トラス材
２    接続金具
３    Ｔ字木製トラス材
４    枡目
５    水平ブレース
【図１】
2015168922.tif 000003
【図２】
2015168922.tif 000004
【図３】
2015168922.tif 000005
【図４】
2015168922.tif 000006
(57)【要約】【課題】メガネ、サングラスを掛けた上から、ニット帽子、目出し帽子、フード等の耳を覆う帽子、またはイアウォーマー（以下「ニット帽等」と称す。）をかぶると、メガネのフレームが圧迫されて顔にフレームの跡がつくことがあり痛み、かゆみを感じる場合もある。しかも、隙間ができるため外気が入り込み寒い。  また、メガネを掛けた上から、ニット帽等をかぶると、掛けているメガネを額まで上げることは不可能だった。なお、ニット帽等の上からメガネを掛けても耳に直接フレームが掛からないため、メガネが滑り落ちるなどの問題があった。  本発明は、快適にメガネを掛けられるニット帽等を提供する。【解決手段】ニット帽等の両耳の前側部分にスリット状の穴を設け、メガネフレームを差し込み、耳に直接フレームを掛けられる構造とした。  また、穴の部分は、肌が外気に触れない構造とした。【選択図】図４
2015168915.tif 000002
【特許請求の範囲】
【請求項１】
メガネフレームを差し込み耳に直接メガネフレームを掛けられる穴を設けたニット帽子、目出し帽子、フード等の耳を覆う帽子、及びイアウォーマー。
【発明の詳細な説明】
【技術分野】
【０００１】  本発明は、ニット帽子に関するものである。
【背景技術】
【０００２】  従来のニット帽子、フード、イアウォーマーは、メガネのフレームを差し込む穴がない構造となっていた。
なお、一般的な帽子で「ニット帽子」が知られている。（特許文献１、２参照）
【先行技術文献】
【特許文献】
【０００３】
【特許文献１】  登録実用新案第３１６９３７５号
【特許文献２】  登録実用新案第３１８１２８１号
【発明の概要】
【発明が解決しようとする課題】
【０００４】  メガネ、サングラスを掛けた上から、ニット帽子、目出し帽子、フード等の耳を覆う帽子、またはイアウォーマー（以下「ニット帽等」と称す。）をかぶると、メガネのフレームが圧迫されて顔にフレームの跡がつくことがあり痛み、かゆみを感じる場合もある。しかも、隙間ができるため外気が入り込み寒い。
また、メガネを掛けた上から、ニット帽等をかぶると、掛けているメガネを額まで上げることは不可能だった。なお、ニット帽等の上からメガネを掛けても耳に直接フレームが掛からないため、メガネが滑り落ちるなどの問題があった。
本発明は以上の問題点を解決するものである。
【課題を解決するための手段】
【０００５】  ニット帽等の両耳の前側部分にスリット状の穴を設け、メガネフレームを差し込み、耳に直接フレームを掛けられる構造とした。
また、穴の部分は、肌が外気に触れない構造とした。
【発明の効果】
【０００６】  本発明により、メガネフレームがニット帽等に圧迫されて顔にフレームの跡がつくことがなくなり、圧迫による痛み、かゆみも発生しない。
ニット帽等をかぶったまま快適にメガネを掛けられるようになり、隙間がなく暖かくニット帽等をかぶることができるようになる。また、従来はできなかった、ニット帽等をかぶったままメガネを額まで上げることも可能になる。
【図面の簡単な説明】
【０００７】
【図１】本発明の側面図（帽子）
【図２】本発明の側面図（フード）
【図３】本発明の側面図（イアウォーマー）
【図４】本発明の使用状態を示す側面図（その１）
【図５】本発明の使用状態を示す側面図（その２）
【図６】本発明の使用時の上から見た断面図
【発明を実施するための形態】
【０００８】  以下、本発明を実施するための形態について、図面に基づいて説明する。
帽子（１）、フード（２）、イアウォーマー（３）の両耳の前側部分にメガネフレーム入口（４）、メガネフレーム出口（５）を設けた。また、メガネフレーム入口（４）、メガネフレーム出口（５）は、肌が外気に触れないようにするため平面的に位置をずらし、内側に布等でカバーをしてフレームが通る部分はトンネル部（６）を設けトンネル状とした。（図１，２，３）
本発明は以上のような構造である。
本発明を使用する時は、メガネ（８）のフレームをメガネフレーム入口（４）に差し込むと、トンネル部（６）を通り、メガネフレーム出口（５）から帽子（１）の内側に出て、耳（７）に直接フレームを掛けられる。
また、帽子（１）を深くかぶった場合、浅くかぶった場合それぞれ対応できるよう、更には帽子（１）をかぶったままメガネを額まで上げられるよう、メガネフレーム入口（４）、メガネフレーム出口（５）の形状はスリット状とした。（図４，５，６）
【符号の説明】
【０００９】    １  帽子
２  フード
３  イアウォーマー
４  メガネフレーム入口
５  メガネフレーム出口
６  トンネル部
７  耳
８  メガネ
【図１】
2015168915.tif 000003
【図２】
2015168915.tif 000004
【図３】
2015168915.tif 000005
【図４】
2015168915.tif 000006
【図５】
2015168915.tif 000007
【図６】
2015168915.tif 000008
(57)【要約】【課題】再生可能エネルギー（自然エネルギー）使用時の諸支障。【解決手段】再生可能エネルギー（自然エネルギー）の純国産燃料化。【選択図】なし【特許請求の範囲】
【請求項１】
バイオマス由来の純国産燃料の大手電力会社・燃料供給部門への販売
【請求項２】
バイオマス由来の純国産燃料の発電できるハイブリッド電気自動車利用
【発明の詳細な説明】
【技術分野】
【０００１】再生可能エネルギー（自然エネルギー）の合理的効率的利用に関する
【背景技術】
【０００２】太陽光発電や風力発電等の発電設備は、天候に左右されるため補助電源・蓄電池を必要とする。また大手電力会社による買取りを希望する場合には、その変電所まで送電線を自己設置しなければならない。送電コストだけでなく、送電中のロスも生じる。また設備の修理費用にはやはり多額の費用を要する。
化石燃料の輸入による貿易赤字・国富の流出が膨大化する中、再生可能エネルギー（自然エネルギー）の普及がいそがれるが、上記等の課題がある。
【発明の概要】
【発明が解決しようとする課題】
【０００３】化石燃料輸入による貿易赤字・国富の流出。
再生可能エネルギー（自然エネルギー）による里山地域おこし時の問題。
太陽光発電・風力発電等の、気候変動に由来する不安定供給。
【課題を解決するための手段】
【０００４】再生可能エネルギー（自然エネルギー）のバイオマス分野からのアプローチにより、バイオマス原料を、バイオエタノール・水素・メタンガス等の純国産燃料に造りかえ、大手電力会社の火力発電・燃料調達部門に供給する。また既存社会資本である蒸気動力サイクルでも使用していく。蒸気動力サイクルの熱源は、石炭・石油・天然ガス・原子力と多様化しているが、今日の電力供給のほとんどを生み出し、ほんの僅かな改善で莫大な資源が節約できるといわれている。この蒸気動力サイクルの熱源を、再生可能エネルギー（自然エネルギー）由来の純国産燃料としていく。
【発明の効果】
【０００５】太陽光発電・風力発電を里山に設置する場合「気候変動により発電量の変動があり、安定供給に支障がある」として大手電力会社に拒まれる可能性があるが、自然エネルギー由来の純国産燃料使用では、天候に左右されない電力の安定供給を目指すことができる。
日本のエネルギー安全保障に向け、日本の産業競争力強化に向け、国家百年の大計の国づくりとして過疎の農林漁村でも取り組める純国産燃料づくりを普及させることができる。純国産燃料の普及・利用拡大により、これまで海外に膨大に流出し続けている我が国の国富を、日本の隅々の農山漁村に循環させ、好循環環境を創り出すことができる。
安全・安心な生活づくりとして、既製の、発電できるハイブリッド電気自動車を利用し、平常時でも災害時でも、移動できる発電システムを構築し、個別発電にも結び付けていくことができる。
(57)【要約】      （修正有）【課題】チューブから出す苦労や出しすぎ、足りない、こぼす等を解消する歯磨き剤の提供。【解決手段】１回分ずつ粒もしくは糖衣じょう等にして楽に出し楽しい歯磨きをする。【選択図】なし【特許請求の範囲】
【請求項１】
チューブで、出にくかったり、出すぎたり、落としたりしなくて１回分ずつ、簡単に歯磨きが出来るというのが私の発想の権利です。
【発明の詳細な説明】
【技術分野】
【０００１】この発明は、練り歯磨きをチューブでなく、たとえばプラスチックの容器などに１回分ずつ粒にしたものをたくさん入れて、歯を磨こうと思った時に１粒出してブラシで磨くものである。
【背景技術】
【０００２】従来チューブに練り歯磨きが入っていて手でしぼって出していた。
【先行技術文献】
【特許文献】
【０００３】
【特許文献１】
【発明の概要】
【発明が解決しようとする課題】
【０００４】これは次のような欠点があった。
チューブをつまんんでも出にくかったり、少なく出たり、多く出たり、力強くつまんんだ拍子に落としてしまったりしていた。
本発明は、以上のような欠点をなくすためになされたものである。
【課題を解決するための手段】
【０００５】１回分ずつ、粒じょう、あるいは糖衣じょうにする。
本発明は、以上の構成よりなるものである。
【発明の効果】
【０００６】歯磨き剤が１回分ずつ苦労することなく簡単にだせて、用いられる。
【図面の簡単な説明】
【０００７】
【図１】本発明の正面図である。
【図２】本発明の形状図である。
【発明を実施するための形態】
【０００８】私は作り方は、分かりません。持ち運ぶのに容易でかわいくて、そんな商品を作って欲しい。
【図１】
2015168684.tif 000002
【図２】
2015168684.tif 000003
(57)【要約】      （修正有）【課題】アクセルをブレーキと間違って急激に踏み込むとそのままスロットルワイヤーが強く引っ張られ車は暴走して事故になる事が多い。【解決手段】アクセルペダル１のスロットル作動部位にカムとリンク機構３、更にショッアブソーバのような急激な作動遅廷機構４を組合わせたシステムを追加したアクセルペダルを設けてブレーキと間違って急激にアクセルペダル１を踏込んでも車は暴走しないようにする。従来のスロットルワイヤ作動一体型のアクセルペダルはやめて上記のような構造を組み込んだペダルを採用する。【選択図】図１
2015168417.tif 000002
【特許請求の範囲】
【請求項１】
アクセルペダルスロットルワイヤ作動一体式からペダルとスロットルワイヤーの間にリンク機構とカム機構を組合わせて急激なペダル踏み込み時のスロットルワイヤー作動を解除させる。
【請求項２】
暴走解除機能を確実なものにするため〔請求項１〕の機構にプラスして、ショクアブソーバのようなオリフィス機構（遅廷機構）などダブルの機構を組み合わせて急激作動時スロットルワイヤーへの作動を解除させる  ペダルの踏み込みをもどすと通常通りの運転操作で運転が可能となる
【発明の詳細な説明】
【技術分野】
【０００１】この発明は近年ブレーキとアクセルの踏み違いによって車が暴走し人身事故が多発しているのでその防止のためのものである
【背景技術】
【０００２】従来アクセルペダルを踏み込めばスロットルワイヤーが作動しエンジンが高回転し車輌スピードが出る  このためブレーキと間違ってアクセルペダルを踏むと暴走事故をおこしていた  その対策として電気的回路でそれを防ぐ方法やブレーキペダルへ足をのせた状態でアクセルを作業できるような特許が出されている
【先行技術文献】
【特許文献】
【０００３】
【特許文献１】特許公開２０１３−２３８１８２
【特許文献２】特許公開２００８−１２０３６６
【特許文献３】特許公開２００６−１２３８０１
【特許文献４】特許公開２００４−１６９６７４
【特許文献５】特許公開平０５−１８５８６２
【特許文献６】実用新案３１４２２３１号
【特許文献７】実用新案３１４５４５５号
【特許文献８】ＷＯ２００５／０５８６３１
【発明の概要】
【発明が解決しようとする課題】
【０００４】  これは次のような欠点があった
（イ）アクセルをブレーキと間違えて強く踏み込むとそのままスピードが上がる
（ロ）アクセルとブレーキを間違えても暴走しないための方法が出されているが仕様が複雑でコスト的にも問題がある
（ハ）運転中常にブレーキペダルに足を乗せているので何かのはずみにブレーキを踏んでしまい後続の車が追突事故を起こしかねない又パカパカとブレーキランプがつくと後続の車にめいわく
本発明は以上のような欠点をなくすものである
【課題を解決するための手段】
【０００５】従来アクセルペダルはペダルとスロットルワイヤー作動部が一体物である。これをリンク機構とカム機構を取り入れ更に確実に暴走を防ぐためショックアブソーバのようなオリフィス機構のダブル機構で急激なアクセル踏込みによるスロットルワイヤーの作動を解除させることで暴走防止を行う
【発明の効果】
【０００６】（イ）ブレーキとアクセルペダルの踏み違いでおきる車輌暴走による人身事故を防止できる
（ロ）対策のコストも安くできる
【図面の簡単な説明】
【０００７】
【図１】本発明のアクセルペダル斜視図
【図２】本発明のアクセルペダル通常運転時の急激踏み込み解除機構の状態
【図３】アクセルペダルを急激に踏み込んだ時のリンクとカム機構がスロットルを解除した状態
【発明を実施するための形態】
【０００８】以下本発明を実施するための形態について説明する
アクセルペダルのスロットルワイヤー作動部位に急激な踏み込みするとそれを解除する可動式のスロットルワイヤーを作動させるリンクカムプレート符号３とショクアブソーバ符号４によってスロットルワイヤ符号２作動を防止する
具体的には追加したスロットルワイヤー作動プレートはアクセルペダル本体に可動状態に取りつけられ通常はペダル本体よりスロットルワイヤー作動側へ傾いており（スプリングに引張られ）急激なペダル踏み込みによりペダル本体部分はスロットルワイヤ作動側へ動くがショックアバソーバーのような遅廷システムによりスロットルワイヤー作動プレートはスロットルワイヤ作動と反対側に傾きスロットルワイヤーを作動させない。
【符号の説明】
【０００９】  １  アクセルペダル
２  スロットルワイヤー
３  リンクカム式スロットル作動解除機構
４．アクセルペダルストッパー
５．ペタルブラケット
６．スロットル解除機構復元ストッパー
７．スプリング
８  スプリンク固定ピン
９  止めピン
１０  スロットル解除機構通常時固定ピン
【図１】
2015168417.tif 000003
【図２】
2015168417.tif 000004
【図３】
2015168417.tif 000005
(57)【要約】      （修正有）【課題】何時起こるか解らない踏み間違え事故を気にする事なく、運転出来る事を特色とする物である。【解決手段】多発してる踏み間違い事故を完全に無くした特色があり、足の操作と手の操作に分けて電磁石により解決した事に特色がある。ブレーキを踏んだ時、アクセル・ワイヤー・キャッチの電磁石が切れて、手でアクセルを入力してもアクセル効果が出ず、ブレーキだけに効力が出る。【選択図】図２
2015168413.tif 000002
【特許請求の範囲】
【請求項１】
アクセルとブレーキを手と足の操作に分離、ブレーキ入力時に電磁力を切りアクセル効果が出ない様にする事
【発明の詳細な説明】
【技術の分野】
【０００１】本発明は誰が運転をしてもアクセルとブレーキの踏み間違いい事故を無くした物である
【０００２】現在の自動車は右足だけでアクセルとブレーキを操作する様になってる為、踏み間違えによる事故が後を絶えない、かかる事故を無くす為に発明された物である
【発明の概要】
【発明が解決しようとする課題】
【０００３】従来型の自動車はブレーキとアクセルを右足だけで操作する様にした処に無理があり、多くの事故が発生してる
【課題を解決する為の手段】
本発明はブレーキを足踏みにしてアクセルを手で操作する様にして踏み間違いを無くし、足でブレーキを入力した時は自動的に手がアクセルを入力してもアクセル効果が出無い様にした物である
【発明の効果】
上述の如く足だけで操作するのでは無くして、踏み間違えを無くして、ブレーキは足で操作、ブレーキを入力した時は自動的に手がアクセルを入力してもアクセル効果が出無い様にした物である
【図面の簡単な説明】
【０００４】
【図１】  本発明の噴霧器平面図
【図２】  本発明の噴霧器正面図
【図３】  本発明の噴霧器側面図
【図４】  本発明のワイヤーキャッチ図
【図５】  本発明のワイヤー解放図
【図６】  本発明のアクセル機能図
【図７】  本発明のアクセルレバー図
【発明を実施する為の形態】
【０００５】現在の自動車は以前の自動車とは違ってアクセルとブレーキを右足だけで操作する様になってる、これは以前から運転してた者には慣れない操作で咄嗟の場合余計踏みこむ様になっている為事故に繋がっている、かかる事故を無くする為発明された物である
【実施例】
【０００６】以下添付図に従い実施例を説明する
図中９のアクセルは図中１０のブレーキを踏んだ時図中３のアクセル・ワイヤー・キャッチの電磁石が切れて手でアクセルを入力してもアクセル効果は出ない、ブレーキだけに効力がでる様になってる【０００７】本考案は上述の如き構成からなる物であり、踏み間違いによる危険性はなくなる
【符号の説明】
【０００８】  １は噴射器
２はアクセルレバー
３はワイヤーキャッチ
４は固定板
５はスプリング
６はストッパー
７はワイヤー
８はハンドル
９はアクセルレバー
１０はブレーキ足踏み板
１１はスプリング
１２は配線
【図１】
2015168413.tif 000003
【図２】
2015168413.tif 000004
【図３】
2015168413.tif 000005
【図４】
2015168413.tif 000006
【図５】
2015168413.tif 000007
【図６】
2015168413.tif 000008
【図７】
2015168413.tif 000009
(57)【要約】【課題】テーブル本体とアーム受けの二種類の部品により完成されたカーハンドル用テーブルであり、ハンドルに取り付け取り外しが容易に出来て多くの車種のハンドル角度にも対応可能なカーハンドルテーブルを提供する。【解決手段】平板状の二つ折りを可能な構造とし、図１のテーブルの一体化したテーブルを開き、このテーブルに固定されたアームを開く事により、ハンドルに容易に固定可能な構造であり、これにアーム受けで固定させる事を可能とし、水平及び必要に応じた傾斜を設ける事も可能な構造のカーハンドル用テーブル。【選択図】図１
2015168414.tif 000002
【特許請求の範囲】
【請求項１】
平板状のテーブル本体を二つ折りの形状とし、このテーブル本体に左右対称のアームをテーブル本体に取り付け一体化させた形状であり、この本体のテーブルを水平に開いて、テーブル本体の左右のアームをアーム収納溝から取り出し、左右対称のアーム受けを取り付け調整することにより、カーハンドルのそれぞれの角度に応じてテーブル本体を水平にする事が可能な形状を持ち、及び使用目的において適切なるテーブル本体の傾斜角度を得る事も可能なカーハンドル用テーブル。
【発明の詳細な説明】
【考案の詳細な説明】
【技術分野】
【０００１】    本考案はカーハンドルのそれぞれの角度の違いにおいて本体のテーブルに一体化させた左右のアームを引き出し、左右のアーム受けの調整溝の適切なる構に左右のアームを固定させる事により、本体のテーブルを水平に設定する事を可能とした、及び使用目的において適切なる傾斜を得る事を目的とした特徴を持つ。【０００２】従来、車の運転席においてはハンドルが前面にある為、食事や飲み物等の置き場所がなく、又、ハンドルの前面においてパソコンを使用する、及びメモ書きをする作業などが非常に困難な狭い空間であった。【０００３】又助手席や後部座席においても、食事をしたりパソコンを使用したりメモ書き等を作業する目的において本考案のテーブルを使用する事が可能な特長を持つ形状である。【０００４】助手席や後部座席においても、本考案のテーブル本体のみを開き両膝の上に乗せる事により、食事やパソコンの作業及びメモ書き等をする事が可能な形状を持つ。【０００５】本考案のテーブル本体は二つ折りが可能な形状としているため、非常にコンパクトに収める事が可能な形状であり、ドアボックスに納めたり、又車内のどこに置いても車内置き場所の妨害をきわめて少なくした。
【発明の概要】
【発明が解決しようとする課題】
【０００６】車の運転席で作業する場合において、前面にハンドルがある為、その作業空間場所は極めて狭い、その極めて狭い作業空間場所において食事をしたり、パソコン作業をしたり、携帯電話を使用しながらメモ書き等をする等は極めて不自由な空間であった、本考案のカーハンドル用テーブルの形状はその目的において可能となった。【０００７】本発明は以上のような従来の欠点を改良したカーハンドルテーブルであり、運転席の使用目的において、及び助手席や後部座席においてもその課題を考慮して考案したものであり、目的の作業をスムーズに行える車内空間場所を提供するものである。
【課題を解決するための手段】
【０００８】本発明は、テーブル本体を二つ折りに形成し、コンパクトに収納が可能な構造であり、このテーブル本体に左右のアーム部分を一体化させた構造であり、この本体と左右のアーム受けを取り付ける事により、極めて少ない部品で形成される特徴を持つカーハンドル用テーブルである。【０００９】本発明は主として運転席でのテーブルとして考案されたものであるが、その特長は助手席及び後部座席においても使用目的において非常に便利な形状を持つものである。
【発明の効果】
【００１０】車の運転を停止し、運転席で食事をしたりする、又パソコン等を運転席で使用したり、携帯電話で会話を交わしながらメモ書きをする等は、前面にハンドルがあり、非常に狭い空間であるので困難な作業空間であった。【００１１】通常はこのような作業において車外に出て行えば良いと考慮するのであるが車外の状況による、例えれば猛暑の季節においては熱中症の可能性も考えられる、大雨の時や大雪の時など車外でのこれ等の作業は運転席作業以上の困難が発生する。【００１２】このような車外においての作業のリスクを解消するとすれば、運転席の狭き空間に本考案のカーハンドル用テーブルを取り付ける事により、車内の冷暖房を利用しながら車外で作業する環境によるリスクを解消して快適に作業を進める事が本考案のカーハンドル用テーブルである。
【図面の簡単な説明】
【００１３】
【図１】カーハンドルに取り付けた本案の全体の形状を示す。
【図２】本案のテーブル本体１とアーム受け３を示す
【図３】テーブル本体を９０度開いた形状を示す
【図４】テーブル本体を折畳んだ形状を示す。
【図５】ハンドル９にテーブルを水平に取り付けた側面図を示す
【図６】ハンドルに傾斜を付けて取り付けた側面図を示す
【符号の説明】１  テーブル
２  アーム
３  アーム受け
４  アーム収納用溝
５  １８０度で平面を保つ構造の蝶版
６  ハンドル下部においてテーブルをハンドルに固定する凸部
７  アーム角度調整用溝部
８  アーム収納用溝部
９  ハンドル
【発明を実施するための形態】
【００１４】以下、図面に示した実施の形態に基づいて本発明を説明する。
【００１５】図１において、本発明の材質は木材やプラスチック材で成型が可能、アーム２は金属加工製品が望ましい、アーム受け３は樹脂成型品が望ましい、各々の適切なる素材を組み合わせる事で一体化させ成型する事が可能なカーハンドル用テーブル。
【図１】
2015168414.tif 000003
【図２】
2015168414.tif 000004
【図３】
2015168414.tif 000005
【図４】
2015168414.tif 000006
【図５】
2015168414.tif 000007
【図６】
2015168414.tif 000008